(57)【要約】【課題】ブロックリングの種類を減らし、ブロックリングの製作コストを抑制することが可能な眼鏡用レンズ及び眼鏡用レンズの設計方法を提供すること。【解決手段】物体側の面がトーリック面の要素を含む眼鏡用レンズであり、前記物体側の面において、前記眼鏡用レンズの幾何学中心からの距離が等しい少なくとも３点のサグ量が同一であり、前記少なくとも３点のいずれかは、前記物体側の面の２つの主経線のいずれか一方の主経線上の点である。【選択図】図５
2013186296.tif 000002
【特許請求の範囲】
【請求項１】
物体側の面がトーリック面の要素を含む眼鏡用レンズであって、
前記物体側の面において、前記眼鏡用レンズの幾何学中心からの距離が等しい少なくとも３点のサグ量が同一であり、
前記少なくとも３点のいずれかは、前記物体側の面の２つの主経線のいずれか一方の主経線上の点である、眼鏡用レンズ。
【請求項２】
請求項１において、
前記物体側の面が、累進面の要素を更に含む、眼鏡用レンズ。
【請求項３】
物体側の面がトーリック面の要素を含む眼鏡用レンズを設計する眼鏡用レンズ設計方法であって、
前記物体側の面において、前記眼鏡用レンズの幾何学中心からの距離が等しい少なくとも３点のサグ量を同一とし、
前記少なくとも３点のいずれかを、前記物体側の面の２つの主経線のいずれか一方の主経線上の点とする、眼鏡用レンズ設計方法。
【発明の詳細な説明】
【技術分野】
【０００１】
本発明は、眼鏡用レンズ及び眼鏡用レンズ設計方法に関する。
【背景技術】
【０００２】
従来、眼鏡用レンズ（以下、単にレンズとも言う）を製造する方法として、物体側の面（外面、凸面）だけを光学的に仕上げたセミフィニッシュトレンズと呼ばれるレンズをレンズ固定具に固定して、眼球側の面（内面、凹面）を切削及び研磨することで、最終的なレンズ形状にする方法が知られている（例えば、特許文献１）。この方法では、セミフィニッシュトレンズとレンズ固定具との間に、セミフィニッシュトレンズの物体側の面を支持するブロックリングを配置し、このブロックリングの内部に低融点合金（アロイ）等の接着剤を充填することで、セミフィニッシュトレンズをレンズ固定具に固定する。
【先行技術文献】
【特許文献】
【０００３】
【特許文献１】特開２００８−１１０４７６号公報
【発明の概要】
【発明が解決しようとする課題】
【０００４】
老視などの視力の補正に適した眼鏡レンズに用いられる累進多焦点レンズにおいて、従来、物体側の面に付加されていた累進屈折面を眼球側の面に設けた累進多焦点レンズ（内面累進屈折力レンズ）が知られている。また、物体側の面にもトーリック面や累進面を設けることで眼鏡倍率、像のゆれ及び歪みを考慮した設計が可能な両面設計と呼ばれる累進多焦点レンズ（両面累進屈折力レンズ）が知られている。
【０００５】
内面累進屈折力レンズの製造に用いるセミフィニッシュトレンズは、物体側の面の形状が回転対称（球面）であるため、レンズを支持する部分が同一平面上にあるフラット型のブロックリングを用いて固定することができ、ブロックリングを共通化することができる。
【０００６】
しかしながら、両面累進屈折力レンズの製造に用いるセミフィニッシュトレンズのように、物体側の面の形状が回転対称でないセミフィニッシュトレンズを固定する場合には、各セミフィニッシュトレンズの物体側の面の形状に合わせた専用のブロックリングを多数用意しておく必要があり、製造コストを押し上げ、製造工程における効率化を妨げる要因となる。
【０００７】
本発明はこのような問題点に鑑みてなされたものである。本発明のいくつかの態様によれば、ブロックリングの種類を減らし、ブロックリングの製作コストを抑制することが可能な眼鏡用レンズ及び眼鏡用レンズの設計方法を提供することができる。
【課題を解決するための手段】
【０００８】
（１）本発明の一態様に係る眼鏡用レンズは、物体側の面がトーリック面の要素を含む眼鏡用レンズであって、前記物体側の面において、前記眼鏡用レンズの幾何学中心からの距離が等しい少なくとも３点のサグ量が同一であり、前記少なくとも３点のいずれかは、前記物体側の面の２つの主経線のいずれか一方の主経線上の点である。
【０００９】
ここで、サグ量とは、レンズの幾何学中心を通る光軸と直交し、かつ、眼球側の面（或いは物体側の面）に接する平面からレンズの物体側の面における任意の点までの距離である。
【００１０】
本態様の眼鏡用レンズでは、トーリック面の要素を含む物体側の面において、幾何学中心からの距離が等しい少なくとも３点のサグ量が同一であり、かつ、少なくとも３点のいずれかは、主経線上の点である。これにより、幾何学中心からの距離が等しい任意の点のうち、曲率が最大または最小である点と、同じく距離が等しい他の２点とのサグ量が一致するため、当該少なくとも３点を通る円の直径と同一の径を有するフラット型のブロックリング（レンズを支持する環状部分が同一平面上にあるブロックリング）を用いて、前記少なくとも３点において本態様の眼鏡用レンズを安定的に支持することができる。従って、トーリック面の要素を含む物体側の面の形状に合わせた専用のブロックリングを用意しておく必要がなくなるので、ブロックリングを共通化して、ブロックリングの製作コストを抑制することが可能な眼鏡用レンズを提供することができる。なお、本明細書において「距離が等しい」という場合は、距離が完全に等しい場合に加え、許容できる範囲内の誤差がある場合を含む。具体的には、眼鏡レンズをブロックリングに固定した場合に、上記少なくとも３点がブロックリングに接することができれば、誤差の範囲内とすることができる。「サグ量が同一」という場合は、サグ量が完全に等しい場合に加え、許容できる範囲内の誤差がある場合を含む。具体的には、眼鏡レンズをブロックリングに固定した場合に、上記少なくとも３点がブロックリングに接することができれば、誤差の範囲内とすることができる。
【００１１】
（２）この眼鏡用レンズは、前記物体側の面が、累進面の要素を更に含んでもよい。
【００１２】
本態様によれば、物体側の面がトーリック面の要素と累進面の要素とを含む場合であっても、少なくとも３点において眼鏡用レンズを安定的に支持することができる。従って、専用のブロックリングを用意しておく必要がなくなるので、ブロックリングを共通化して、ブロックリングの製作コストを抑制することが可能な眼鏡用レンズを提供することができる。
【００１３】
（３）本発明の一態様に係る眼鏡用レンズ設計方法は、物体側の面がトーリック面の要素を含む眼鏡用レンズを設計する眼鏡用レンズ設計方法であって、前記物体側の面において、前記眼鏡用レンズの幾何学中心からの距離が等しい少なくとも３点のサグ量を同一とし、前記少なくとも３点のいずれかを、前記物体側の面の２つの主経線のいずれか一方の主経線上の点とする。
【００１４】
本態様の方法で設計された眼鏡用レンズでは、トーリック面の要素を含む物体側の面において、幾何学中心からの距離が等しい少なくとも３点のサグ量が同一であり、かつ、少なくとも３点のいずれかは、主経線上の点である。これにより、幾何学中心からの距離が等しい任意の点のうち、曲率が最大または最小である点と、同じく距離が等しい他の２点とのサグ量が一致するため、当該少なくとも３点を通る円の直径と同一の径を有するフラット型のブロックリングを用いて、前記少なくとも３点において本態様の眼鏡用レンズを安定的に支持することができる。従って、トーリック面の要素を含む物体側の面の形状に合わせた専用のブロックリングを用意しておく必要がなくなるので、ブロックリングを共通化して、ブロックリングの製作コストを抑制することが可能な眼鏡用レンズを設計することができる。
【図面の簡単な説明】
【００１５】
【図１】セミフィニッシュトレンズのブロッキング方法について説明するための図。
【図２】物体側の面がトーリック面であるセミフィニッシュトレンズを、フラット型のブロックリングを用いて固定する場合に発生する不具合について説明するための図。
【図３】物体側の面がトーリック面であるセミフィニッシュトレンズを、フラット型のブロックリングを用いて固定する場合に発生する不具合について説明するための図。
【図４】本実施形態のセミフィニッシュトレンズの構成の一例を示す図。
【図５】本実施形態のセミフィニッシュトレンズの設計方法を説明するためのフローチャート図。
【図６】トーリック形状の物体側の面における縦方向及び横方向のサグ量の一例を示す図。
【図７】図７（Ａ）は、修正後の横方向のサグ量の一例を示す図、図７（Ｂ）は、図７（Ａ）の一部を拡大した図。
【発明を実施するための形態】
【００１６】
以下、本発明の好適な実施形態について図面を用いて詳細に説明する。なお、以下に説明する実施形態は、特許請求の範囲に記載された本発明の内容を不当に限定するものではない。また以下で説明される構成の全てが、本発明の必須構成要件であるとは限らない。
【００１７】
１．ブロッキング方法
まず、図１を用いて、セミフィニッシュトレンズをレンズ固定具に固定する方法（ブロッキング方法）について説明する。
【００１８】
図１に示すセミフィニッシュトレンズ１０は、物体側の面１０ａ（外面、凸面）が球面をなし、眼球側の面１０ｂが平面をなすレンズである。なお、図中Ｘ軸、Ｙ軸、Ｚ軸は、それぞれレンズの横方向、縦方向、厚さ方向を示す。レンズの縦方向とは、眼鏡として装用した場合に装用者の頭頂側の頂点と顎側の頂点を結ぶ方向（垂直方向）である。レンズの横方向は、縦方向に直交する方向（水平方向）である。厚さ方向は、光軸方向と一致する。なお、Ｘ軸、Ｙ軸、Ｚ軸の原点は幾何学中心である。また、眼球側の面１０ｂは球面であっても良い。以降の図でも同様である。
【００１９】
図１に示すように、セミフィニッシュトレンズ１０とレンズ固定具２０との間に、セミフィニッシュトレンズ１０の物体側の面１０ａを支持（保持）するブロックリング３０を設置して、ブロックリング３０内部に接着剤４０（例えば、低融点合金やワックス）を充填することで、セミフィニッシュトレンズ１０をレンズ固定具２０に固定する。ブロックリング３０は、レンズを支持する環状の支持部３０ａが同一平面上にあるフラット型のブロックリングである。
【００２０】
図１に示すように、セミフィニッシュトレンズ１０の物体側の面１０ａは球面であるため、物体側の面１０ａは、ブロックリング３０の支持部３０ａと隙間なく接触している。従って、セミフィニッシュトレンズ１０の幾何学中心ＧＣが、ブロックリング３０の中心と一致するように配置すれば、セミフィニッシュトレンズ１０を水平に固定することができる。また、例えば、側壁の高さ（図１におけるＺ軸方向の高さ）が異なる（傾斜した）ブロックリング３０を用いることで、セミフィニッシュトレンズ１０を任意に傾けて固定することもできる。
【００２１】
図２、図３は、物体側の面がトーリック面であるセミフィニッシュトレンズを、フラット型のブロックリングを用いて固定する場合に発生する不具合について説明するための図である。
【００２２】
図２に示すセミフィニッシュトレンズ２０は、物体側の面２０ａがトーリック面であり、Ｙ軸方向の主経線ＭＹの曲率半径Ｒ２が、Ｘ軸方向の主経線ＭＸの曲率半径Ｒ１よりも大きくなっている。このようなセミフィニッシュトレンズ２０をフラット型のブロックリング３０を用いて固定しようとすると、物体側の面２０ａにおいて曲率半径の大きいＹ軸方向の主経線ＭＹ上の２つの点Ｐ１、Ｐ２のみがブロックリング３０と接触し、曲率半径の小さいＸ軸方向の主経線ＭＸではブロックリンク３０との間に隙間ＣＲ１、ＣＲ２が生じてしまう。従って、ブロックリング３０は、セミフィニッシュトレンズ２０を安定的に支持（保持）することができず、セミフィニッシュトレンズ２０が意図しない傾きで固定されてしまう。
【００２３】
また、図３に示すように、主経線ＭＹ上の２点Ｐ１、Ｐ２で支持されたセミフィニッシュトレンズ２０を、Ｙ軸回りに傾ければ、主経線ＭＸ上の一方の隙間ＣＲ１を無くして主経線ＭＸ上の点Ｐ３をブロックリング３０に接触させることができるものの、主経線ＭＸ上の他方の隙間ＣＲ２が更に大きくなってしまい、この隙間ＣＲ２から接着剤４０が漏れ出してしまう。なお、（面の）主経線とは、最大曲率または最小曲率を示す経線である。２つの主経線とは、球面においては直交する２つの主経線であり、非球面においては、最大曲率を示す主経線と最小曲率を示す主経線である。したがって、２つの主経線の方向は、本明細書においてはＸ軸方向およびＹ軸方向に一致しているが、必ずしもＸ軸方向およびＹ軸方向に一致していなくても良い。
【００２４】
本実施形態のセミフィニッシュトレンズ（本発明の眼鏡用レンズに対応）では、物体側の面において、レンズの幾何学中心（光学中心、フィッティングポイント）からの距離が等しい少なくとも３点のサグ量を同一とすることで、上記の問題点を改善する。
【００２５】
２．構成
図４は、本実施形態のセミフィニッシュトレンズの構成の一例を示す図である。ここでは、両面累進屈折力レンズの製造に用いるセミフィニッシュトレンズであって、物体側の面にトーリック面の要素を含むレンズを例に取って説明する。物体側の面にトーリック面の要素を含むことで、像のゆれ及び歪みを低減できる。
【００２６】
図４に示す本実施形態のセミフィニッシュトレンズ５０は、物体側の面５０ａがトーリック面の要素を含み、眼球側の面５０ｂが平面をなすレンズである。すなわち、物体側の面５０ａのＹ軸方向の主経線ＭＹの曲率半径Ｒ２は、Ｘ軸方向の主経線ＭＸの曲率半径Ｒ１よりも大きくなっている。つまり、物体側の面５０ａの横方向（Ｘ軸方向）の面屈折力は、縦方向（Ｙ軸方向）の面屈折力よりも大きくなっている。
【００２７】
ここで、物体側の面５０ａの横方向（Ｘ軸方向）についてみると、本実施形態のセミフィニッシュトレンズ５０は、Ｙ軸方向の主経線ＭＹ（主子午線）を中心として所定の幅Ｗを有する領域のみが、一定の曲率半径（一定の面屈折力）を有するトーリック面の領域となっており、当該領域の左右の領域は曲率半径（面屈折力）が連続的に変化する非球面形状の領域となっている。
【００２８】
また、物体側の面５０ａの前記非球面形状の領域は、幾何学中心ＧＣから所定距離Ｌだけ離れた主経線ＭＸ上の２つの点Ｐ３、Ｐ４のサグ量が、幾何学中心ＧＣから所定距離Ｌだけ離れた主経線ＭＹ上の点Ｐ１及び点Ｐ２のサグ量と一致する。従って、図４に示すように、物体側の面５０ａは、Ｙ軸方向の主経線ＭＹ上の２つの点Ｐ１、Ｐ２と、Ｘ軸方向の主経線ＭＸ上の２つの点Ｐ３、Ｐ４において、距離Ｌと等しい半径を有するブロックリング３０の支持部３０ａと接触する。なお、サグ量を、幾何学中心ＧＣを通る光軸に直交し且つ眼球側の面５０ｂに接する平面から物体側の面５０ａにおける任意の点までの距離と定義すると、上記少なくとも３点（ここでは点Ｐ１、Ｐ２、Ｐ３、Ｐ４）のサグ量は、物体側の面５０ａの幾何学中心ＧＣからの距離が等しい（距離Ｌの）同心円上の他の点のサグ量以上である。
【００２９】
このように、本実施形態のセミフィニッシュトレンズ５０では、トーリック面の要素を含む物体側の面５０ａにおいて、幾何学中心ＧＣから所定距離Ｌだけ離れた４つの点Ｐ１〜Ｐ４のサグ量が一致するため、距離Ｌと等しい半径を有するフラット型のブロックリング３０を用いて、４つの点Ｐ１〜Ｐ４においてセミフィニッシュトレンズ５０を安定的に支持することができる。従って、物体側の面にトーリック面の要素を含むセミフィニッシュトレンズを固定する場合であっても、物体側の面の形状に合わせた専用のブロックリングを用意しておく必要がなく、ブロックリングを共通化して、ブロックリングの製作コストを抑制することが可能となる。なお、４つの点Ｐ１〜Ｐ４のうち、いずれか３点のサグ量が一致していればよい。点Ｐ３及び点Ｐ４は、幾何学中心ＧＣから距離Ｌだけ離れた点であればよく、Ｘ軸方向の主経線ＭＸ上の点でなくてもよい。
【００３０】
また、本実施形態のセミフィニッシュトレンズ５０では、主経線ＭＹ（主子午線）を含む所定の幅Ｗの領域においてトーリック面の形状を維持することで、トーリック面の形状とした目的である像のゆれ及び歪みの低減効果に対する影響を最小限に抑えることができる。なお、トーリック面の形状を維持する領域は、幾何学中心ＧＣを含む領域であればよく、例えば、幾何学中心ＧＣを中心とする円形の領域をトーリック面の領域としてもよい。
【００３１】
なお、セミフィニッシュトレンズ５０の物体側の面５０ａは、累進面の要素を含んでもよい。累進面（累進屈折面、累進部）とは、遠方視のための視野部である遠用部と近方視のための視野部である近用部とを連続的に屈折力が変化するように連結する領域である。遠用部はレンズ上方（装用時の頭頂側）に設けられ近用部はレンズ下方（装用時の顎側）に設けられる。物体側の面５０ａに累進面が含まれると、主経線ＭＹ上の曲率が一定でなくなるため、Ｙ軸方向の主経線ＭＹ上の２つの点Ｐ１、Ｐ２のサグ量が同一でなくなる。この場合には、Ｘ軸方向の主経線ＭＸ上の２つの点Ｐ３、Ｐ４のサグ量を、点Ｐ１、Ｐ２のいずれか一方のサグ量に一致させ、３つの点（点Ｐ１、Ｐ３、Ｐ４、或いはＰ２、Ｐ３、Ｐ４）のサグ量を一致させればよい。なお、累進面の要素は、物体側の面５０ａと眼球側の面５０ｂとに配分されていても良い。また、累進面の要素は、逆累進の要素（遠用部と近用部との間で加入度が減少する要素）であってもよい。
【００３２】
３．設計方法
次に、本実施形態のセミフィニッシュトレンズの設計方法について、図５のフローチャート図を用いて説明する。
【００３３】
ここでは、一例として、レンズ素材の屈折率が１．６７であって、物体側の面５０ａの縦方向（Ｙ軸方向）の面屈折力が５．００Ｄ（ディオプトリ）、横方向（Ｘ軸方向）の面屈折力が６．００Ｄであるセミフィニッシュトレンズを想定し、ブロックリングとして、半径３０ｍｍのフラット型ブロックリングを用いる場合について説明する。
【００３４】
まず、物体側の面５０ａをトーリック面の形状に設計し、物体側の面５０ａの各点のサグ量を計算する（ステップＳ１０）。トーリック面における各点のサグ量Ｚは、次式（１）により求めることができる。
【００３５】
【数１】
2013186296.tif 000003
【００３６】
ここで、Ｃは、曲率（単位：1/mm）であり、Ｒは幾何学中心からの距離（単位：mm）である。
【００３７】
図６は、上記条件のセミフィニッシュトレンズの物体側の面５０ａについて求めた、幾何学中心から縦方向の各点（Ｙ軸方向の主経線ＭＹ上の各点）のサグ量と、幾何学中心から横方向の各点（Ｘ軸方向の主経線上ＭＸの各点）のサグ量の計算結果を示す図である。ここでは、サグ量を、幾何学中心を通る光軸に直交し且つ物体側の面５０ａに接する平面から物体側の面５０ａ上の各点までの距離としている。図６の縦方向のサグ量は、レンズ縦方向の部分断面の形状を示し、横方向のサグ量は、レンズ横方向の部分断面の形状を示している。図６に示すように、幾何学中心から３０ｍｍの位置（半径３０ｍｍのブロックリングとの接触位置に対応する位置）において、サグ量は、縦方向では３．４ｍｍ、横方向では４．２ｍｍとなっており、その差Δは０．８ｍｍとなっている。すなわち、上記条件のセミフィニッシュトレンズを半径３０ｍｍのフラット型のブロックリングで支持しようとすると、レンズの縦方向が先にブロックリングに接触し、レンズ横方向の幾何学中心から左右３０ｍｍの位置にそれぞれ０．８ｍｍの隙間ＣＲ１、ＣＲ２が生じることになるため、横方向或いは縦方向のサグ量を修正する必要がある。ここでは、横方向のサグ量を修正する場合について説明する。
【００３８】
次に、サグ量の修正に先立って、ターゲット（目標値）となるサグ量を決定し（図５のステップＳ１２）、決定したターゲットのサグ量に基づいて、サグ量の修正に用いる非球面係数ａ３、ａ４を決定する（ステップＳ１４）。サグ量の修正は、次式（２）を用いて行う。
【００３９】
【数２】
2013186296.tif 000004
【００４０】
ここで、Ｒ０は、トーリック面の形状を維持する範囲の上限となる幾何学中心からの距離（単位：mm）であり、図４に示す所定の幅Ｗの半分の値（Ｒ０＝Ｗ／２）である。ここでは、Ｒ０＝５ｍｍとして設計を行う。また、ａ３、ａ４は、非球面係数である。
【００４１】
図６に示すように、上記条件のセミフィニッシュトレンズでは、幾何学中心からの距離Ｒ＝３０ｍｍにおいて、縦方向のサグ量が横方向のサグ量よりも小さいため、距離Ｒ＝３０ｍｍにおける縦方向のサグ量「３．４ｍｍ」をターゲットのサグ量として決定する。そして、距離Ｒ＝３０ｍｍにおける横方向のサグ量が、ターゲットのサグ量Ｚ＝３．４ｍｍとなるような非球面係数ａ３、ａ４を決定して、横方向のサグ量を修正する。すなわち、式（２）において、Ｚ＝３．４ｍｍ、Ｃ＝レンズの横方向の曲率、Ｒ＝３０ｍｍ、Ｒ０＝５ｍｍを代入して、非球面係数ａ３、ａ４を算出する。この場合、２つの変数ａ３、ａ４が存在するため、一方を定数として他方の非球面係数を算出してもよい。また、式（２）において、ａ３、ａ４のうち一方の非球面係数の項を除いてもよい。また、式（２）では、３次と４次の非球面係数を用いているが、任意の次数の非球面係数を用いることができる。
【００４２】
次に、ステップＳ１４で決定した非球面係数に基づきサグ量を修正する（図５のステップＳ１６）。すなわち、算出した非球面係数ａ３、ａ４の値を代入した式（２）により、横方向（Ｘ軸方向）の各点のサグ量を再計算する。但し、０≦Ｒ≦Ｒ０の範囲については、トーリック面の形状を維持するため、この範囲の各点については式（１）による計算結果を維持し、Ｒ＞Ｒ０の範囲の横方向の各点についてのみ、式（２）によりサグ量を再計算して修正する（Ｒ＞Ｒ０の範囲の横方向の非球面量を変化させる）。
【００４３】
図７（Ａ）に、修正後の横方向の各点のサグ量を示す。図７（Ａ）に示すように、修正後の横方向のサグ量は、ブロックリングとの接触位置に対応する位置である距離Ｒ＝３０ｍｍにおいて、縦方向のサグ量と一致している。すなわち、曲率が一定であった横方向の形状が、非球面係数を用いた修正によって、距離Ｒ＝３０ｍｍにおいて縦方向のサグ量と一致するように非球面形状に変化している。
【００４４】
図７（Ｂ）は、図７（Ａ）の０≦Ｒ≦１０の範囲を拡大した図である。図７（Ｂ）に示すように、０≦Ｒ≦Ｒ０（Ｒ０＝５ｍｍ）の範囲では横方向のサグ量が修正前と修正後とで一致しており、修正後においてもこの範囲では曲率が一定のトーリック面の形状が維持されている。
【００４５】
以上のように、縦方向のサグ量と、０≦Ｒ≦Ｒ０の範囲の横方向のサグ量とを式（１）で計算し、ブロックリングとの接触位置に対応する位置の縦方向のサグ量をターゲットのサグ量として決定し、決定したターゲットのサグ量に基づき非球面係数を求め、求めた非球面係数と式（２）に基づいて、Ｒ＞Ｒ０の範囲の横方向のサグ量を計算する。
【００４６】
なお、ブロックリングとの接触位置に対応する位置の横方向のサグ量をターゲットのサグ量として決定し、ターゲットのサグ量に基づき求めた非球面係数を用いて、Ｒ＞Ｒ０の範囲の縦方向の非球面量を変化させてもよい。
【００４７】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００４８】
１０，２０，５０  セミフィニッシュトレンズ、１０ａ，２０ａ，５０ａ  物体側の面、１０ｂ，２０ｂ，５０ｂ  眼球側の面、２０  レンズ固定具、３０  ブロックリング、３０ａ  レンズ支持部、４０  接着剤、ＣＲ１，ＣＲ２  隙間、ＧＣ  幾何学中心、Ｌ  所定距離、ＭＹ，ＭＸ  主経線、Ｐ１，Ｐ２，Ｐ３，Ｐ４  点、Ｒ１，Ｒ２  曲率半径、Ｗ  所定の幅
【図１】
2013186296.tif 000005
【図２】
2013186296.tif 000006
【図３】
2013186296.tif 000007
【図４】
2013186296.tif 000008
【図５】
2013186296.tif 000009
【図６】
2013186296.tif 000010
【図７】
2013186296.tif 000011